(57)【要約】  放射線画像撮影システムにおいてＣＲカセッテとＦＰＤとを混在可能とすることができ、かつ、追加あるいは更新にともなう影響範囲を限定的とし、システムの機能拡張が容易に行えるようにすることを課題とする。そのためには、制御端末７は、操作部７８に操作者による放射線画像検出装置６を用いる旨の撮影指示の入力に基づいて、管理手段４に放射線画像検出装置６を用いる旨の撮影指示を通知し、管理手段４は、当該通知に基づいて放射線照射装置３と放射線画像検出装置６を制御して撮影を実施する。
2010032494.tif 000002
【特許請求の範囲】
【請求項１】
撮影室に設けられた放射線照射装置からの放射線に基づいて撮影を行い、放射線画像データを取得する可搬型の放射線画像検出装置と、
操作部及び表示部を備え、撮影オーダ情報を取得し、該撮影オーダ情報を前記放射線画像検出装置で生成した放射線画像データと対応付ける制御端末と、
少なくとも一つの前記放射線照射装置を制御する管理手段と、
を有し、それぞれが通信回線により通信可能な放射線画像撮影システムであって、
前記制御端末は、前記操作部への操作者による前記放射線画像検出装置を用いる旨の撮影指示の入力に基づいて、前記管理手段に前記放射線画像検出装置を用いる旨の撮影指示を通知し、
前記管理手段は、前記通知に基づいて前記放射線照射装置又は、前記放射線照射装置及び前記放射線画像検出装置、を制御して撮影を実施することを特徴とする放射線画像撮影システム。
【請求項２】
前記管理手段は、前記放射線照射装置の照射タイミングと前記放射線画像検出装置の放射線画像データを取得するタイミングとを制御することを特徴とする請求の範囲第１項に記載の放射線画像撮影システム。
【請求項３】
前記管理手段は、複数の前記放射線照射装置を制御可能であり、
前記制御端末は、前記操作部に操作者による前記放射線画像検出装置を用いる旨の撮影指示及び撮影に使用する前記放射線照射装置の選択指示の入力に基づいて、前記管理手段に前記放射線画像検出装置を用いる旨の撮影指示及び、使用する放射線照射装置の選択指示を通知し、
前記管理手段は、前記通知に基づいて、選択された放射線照射装置と前記放射線画像検出装置を制御して撮影を実施することを特徴とする請求の範囲第１項又は第２項に記載の放射線画像撮影システム。
【請求項４】
識別ＩＤが付与された複数の放射線画像検出装置を有し、
前記制御端末は、前記操作部に操作者による前記放射線画像検出装置を用いる旨の撮影指示及び撮影に使用する前記放射線画像検出装置の選択指示の入力に基づいて、前記管理手段に選択された放射線画像検出装置を用いる旨の撮影指示を通知し、
前記管理手段は、前記通知に基づいて、前記放射線照射装置と前記選択された前記放射線画像検出装置を制御して撮影を実施することを特徴とする請求の範囲第１項乃至第３項のいずれかに記載の放射線画像撮影システム。
【請求項５】
前記放射線画像検出装置は無線通信可能な無線通信手段を有し、
前記管理手段は、無線通信により前記放射線画像検出装置を制御して撮影を実施し、
前記放射線画像検出装置は、無線通信により生成した放射線画像データの前記制御端末への送信を行うことを特徴とする請求の範囲第１項乃至第４項のいずれかに記載の放射線画像撮影システム。
【請求項６】
前記制御端末は複数であり、該複数の制御端末のうちの少なくとも一つと前記管理手段が通信回線で接続されていることを特徴とする請求の範囲第１項乃至第５項のいずれかに記載の放射線画像撮影システム。
【請求項７】
前記放射線画像検出装置は、照射された放射線量に応じたエネルギーを電荷量に変換する複数の検出素子と、前記各検出素子に逆バイアス電圧を供給するバイアス線と、前記バイアス線を介して前記検出素子に逆バイアス電圧を印加する電源と、
前記バイアス線を流れる電流を検出する電流検出手段と、前記電流検出手段により検出された前記バイアス線を流れる電流の増加および減少に基づいて前記放射線の照射の開始および終了を検出する制御手段と、を有し、
前記管理手段は、前記通知に基づいて前記放射線画像検出装置にリセット指示の通知を行うことを特徴とする請求の範囲第１項に記載の放射線画像撮影システム。
【請求項８】
前記放射線画像検出装置は、照射された放射線量に応じたエネルギーを電荷量に変換する複数の検出素子と、前記各検出素子に逆バイアス電圧を供給するバイアス線と、前記バイアス線を介して前記検出素子に逆バイアス電圧を印加する電源と、
前記バイアス線を流れる電流を検出する電流検出手段と、前記電流検出手段により検出された前記バイアス線を流れる電流の増加および減少に基づいて前記放射線の照射の開始および終了を検出する制御手段と、を有し、
前記制御端末は、前記通知に基づいて前記放射線画像検出装置にリセット指示の通知を行うことを特徴とする請求の範囲第１項に記載の放射線画像撮影システム。
【発明の詳細な説明】
【技術分野】
【０００１】
本発明は放射線画像撮影システムに関し、可搬型の放射線画像検出装置を用いる放射線画像撮影システムに関する。
【背景技術】
【０００２】
医療診断の場においては、ＣＲカセッテに内蔵された蛍光体プレートを励起光で走査することにより放射線画像データを読み取る読取装置と、当該読取装置で読み取られた放射線画像データを取得する制御装置（コンソール）とを用いたＣＲ（Ｃｏｍｐｕｔｅｄ  Ｒａｄｉｏｇｒａｐｈｙ）システムが実用化されている（特許文献１参照）。【０００３】
更に、上述したＣＲカセッテに代わり、基板上に２次元的に配列された放射線検出素子を内蔵し、当該放射線検出素子に照射された放射線量に応じた電気信号を出力することが可能な、放射線画像検出装置としてのＦＰＤ（Ｆｌａｔ  Ｐａｎｅｌ  Ｄｅｔｅｃｔｏｒ）装置が提案されている。このＦＰＤを用いれば、励起光を照射して放射線画像を読み取る読取装置を必要とせず、直接的に放射線画像のデータを得ることができるので、ＣＲカセッテを用いた場合よりもシステム自体を小型化することが可能となり、また、撮影作業も円滑となる。【０００４】
このようなメリットからＣＲカセッテで構築された既存のＣＲシステムに対してＦＰＤへの置き換えを行いたいという要望がある。特に半導体技術の向上により小サイズで軽量化が可能となりＣＲカセッテと同等のサイズの可搬型で無線通信部を備えたカセッテタイプのＦＰＤカセッテを用いることにより置き換えが可能である。【０００５】
この場合には、ＣＲカセッテで用いていた放射線を照射する放射線照射部、患者がＣＲカセットを取り付ける撮影台（いわゆるブッキー装置）等の設備をそのまま流用できるために、導入コストを抑えることができるというメリットがある。【０００６】
しかし、既存のＣＲシステムに対して、一度に全てをＦＰＤのシステムに置き換えることは、導入コストの点から、難しい場合がある。このようなことから、置き換えを行う場合には、既存のＣＲシステムを使用しつつ、新規のＦＰＤを導入する混在方式での使用が望まれる。混在方式においては、放射線技師等の操作者の混乱をなくすために、新たな制御端末を別個に設置するのではなく、従来のＣＲシステムで使用している制御端末をそのまま流用することが好ましい。【０００７】
特許文献２においては、異なるタイプ、異なる検出手段のＸ線撮影装置が混在しても、一の制御装置で制御する放射線画像撮影システムが開示されている。
【特許文献１】特開２００２−１５８８２０号公報
【特許文献２】特開２００１−１４９３５８号公報
【発明の開示】
【発明が解決しようとする課題】
【０００８】
ＦＰＤを用いて撮影を行う際には、放射線照射装置の照射線量を変更するのみならず、照射タイミングとＦＰＤの放射線画像データを取得する、例えばリセット動作等を含む一連の動作タイミングとを連携させる必要がある。タイミングを取るためには、制御端末であらかじめ撮影に用いるＦＰＤを選択しておき、ＦＰＤ、制御装置、及び放射線照射装置の間の通信リンクを確立させておく必要がある。【０００９】
このようなことからＦＰＤを用いたシステムを導入するためには、ＦＰＤ単体を導入するだけでは不十分で、制御端末、放射線照射装置、に関しても導入したＦＰＤに対応させて、ハード構成、ソフト構成等の仕様を変更する必要がある。【００１０】
放射線画像撮影システムの機能拡張を図るため、システムの一部の機器の仕様がバージョンアップされた場合あるいは新規構成を導入した場合、その影響は、他の機器に及ぶために、システム全体の仕様を変更する必要が生じ得る。【００１１】
このように、放射線画像撮影システムの機能拡張を図るための一部の設備更新、新規ソフトのインストール、バージョンアップにともなう、デバック評価は複雑且つ大規模化し、かなりの労力及び時間を要するものとなる。更に、大規模な医用システムの場合には、ＲＩＳ（Ｒａｄｉｏｌｏｇｙ  Ｉｎｆｏｒｍａｔｉｏｎ  Ｓｙｓｔｅｍ）やＨＩＳ（Ｈｏｓｐｉｔａｌ  Ｉｎｆｏｒｍａｔｉｏｎ  Ｓｙｓｔｅｍ）システムを含む大システムでのシステム更新が必要となる場合がある。【００１２】
本発明は上記問題に鑑み、ＣＲカセッテを用いた放射線画像撮影システムにおいてＦＰＤを追加した場合であっても、両者を混在可能とすることができ、かつ、追加あるいは更新にともなう影響範囲を限定的とし、システムの機能拡張時のシステムデバック範囲を減縮可能で、簡便に行えるようにすることを目的とする。
【課題を解決するための手段】
【００１３】
１．撮影室に設けられた放射線照射装置からの放射線に基づいて撮影を行い、放射線画像データを取得する可搬型の放射線画像検出装置と、
操作部及び表示部を備え、撮影オーダ情報を取得し、該撮影オーダ情報を前記放射線画像検出装置で生成した放射線画像データと対応付ける制御端末と、
少なくとも一つの前記放射線照射装置を制御する管理手段と、
を有し、それぞれが通信回線により通信可能な放射線画像撮影システムであって、
前記制御端末は、前記操作部への操作者による前記放射線画像検出装置を用いる旨の撮影指示の入力に基づいて、前記管理手段に前記放射線画像検出装置を用いる旨の撮影指示を通知し、
前記管理手段は、前記通知に基づいて前記放射線照射装置と前記放射線画像検出装置を制御して撮影を実施することを特徴とする放射線画像撮影システム。【００１４】
２．前記管理手段は、前記放射線照射装置の照射タイミングと前記放射線画像検出装置の放射線画像データを取得するタイミングとを制御することを特徴とする前記１に記載の放射線画像撮影システム。【００１５】
３．前記管理手段は、複数の前記放射線照射装置を制御可能であり、
前記制御端末は、前記操作部に操作者による前記放射線画像検出装置を用いる旨の撮影指示及び撮影に使用する前記放射線照射装置の選択指示の入力に基づいて、前記管理手段に前記放射線画像検出装置を用いる旨の撮影指示及び、使用する放射線照射装置の選択指示を通知し、
前記管理手段は、前記通知に基づいて、選択された放射線照射装置と前記放射線画像検出装置を制御して撮影を実施することを特徴とする前記１又は２に記載の放射線画像撮影システム。【００１６】
４．識別ＩＤが付与された複数の放射線画像検出装置を有し、
前記制御端末は、前記操作部に操作者による前記放射線画像検出装置を用いる旨の撮影指示及び撮影に使用する前記放射線画像検出装置の選択指示の入力に基づいて、前記管理手段に選択された放射線画像検出装置を用いる旨の撮影指示を通知し、
前記管理手段は、前記通知に基づいて、前記放射線照射装置と前記選択された前記放射線画像検出装置を制御して撮影を実施することを特徴とする前記１乃至３のいずれかに記載の放射線画像撮影システム。【００１７】
５．前記放射線画像検出装置は無線通信可能な無線通信手段を有し、
前記管理手段は、無線通信により前記放射線画像検出装置を制御して撮影を実施し、
前記放射線画像検出装置は、無線通信により生成した放射線画像データの前記制御端末への送信を行うことを特徴とする前記１乃至４のいずれかに記載の放射線画像撮影システム。【００１８】
６．前記制御端末は複数であり、該複数の制御端末のうちの少なくとも一つと前記管理手段が通信回線で接続されていることを特徴とする前記１乃至５のいずれかに記載の放射線画像撮影システム。【００１９】
７．前記放射線画像検出装置は、照射された放射線量に応じたエネルギーを電荷量に変換する複数の検出素子と、前記各検出素子に逆バイアス電圧を供給するバイアス線と、前記バイアス線を介して前記検出素子に逆バイアス電圧を印加する電源と、前記バイアス線を流れる電流を検出する電流検出手段と、前記電流検出手段により検出された前記バイアス線を流れる電流の増加および減少に基づいて前記放射線の照射の開始および終了を検出する制御手段と、を有し、
前記管理手段は、前記通知に基づいて前記放射線画像検出装置にリセット指示の通知を行うことを特徴とする前記１．に記載の放射線画像撮影システム。【００２０】
８．前記放射線画像検出装置は、照射された放射線量に応じたエネルギーを電荷量に変換する複数の検出素子と、前記各検出素子に逆バイアス電圧を供給するバイアス線と、前記バイアス線を介して前記検出素子に逆バイアス電圧を印加する電源と、前記バイアス線を流れる電流を検出する電流検出手段と、前記電流検出手段により検出された前記バイアス線を流れる電流の増加および減少に基づいて前記放射線の照射の開始および終了を検出する制御手段と、を有し、
前記制御端末は、前記通知に基づいて前記放射線画像検出装置にリセット指示の通知を行うことを特徴とする前記１．に記載の放射線画像撮影システム。
【発明の効果】
【００２１】
本願発明によれば、ＣＲカセッテを用いた放射線画像撮影システムにおいてＦＰＤを追加した場合であっても、撮影装置に対応した制御ＢＯＸを追加する構成とすることにより、両者を混在可能とすることができ、かつ、追加あるいは更新にともなう影響範囲を限定的とし、システムの機能拡張時のシステムデバック範囲を減縮可能で、簡便に行うことができる。
【図面の簡単な説明】
【００２２】
【図１】第１の実施形態における、放射線画像撮影システムの概略構成を示す図である。
【図２】第２の実施形態における、放射線画像撮影システムの概略構成を示す図である。
【図３】第３の実施形態における、放射線画像撮影システムの概略構成を示す図である。
【図４】第４の実施形態における、放射線画像撮影システムの概略構成を示す図である。
【図５】コンソール７の要部構成を示すブロック図である。
【図６】ＦＰＤ６の要部構成を示すブロック図である。
【図７】ＦＰＤ６の斜視図である。
【図８】撮像パネル６２及びその周辺の回路構成を示す模式図である。
【図９】放射線画像撮影システムが実行する制御フローを説明する図である。
【図１０】表示部７７に表示した設定画面の例である。
【図１１】第５及び第６の実施形態における、撮像パネル６２及びその周辺の回路構成を示す模式図である。
【図１２】図１１に示す撮像パネル６２の断面図である。
【図１３】電流検出手段６３４で電流から変換され出力される電圧値の時間変化の一例を示す図である。
【図１４】第５の実施形態における、放射線画像撮影システムが実行する制御フローを説明する図である。
【図１５】第６の実施形態における、放射線画像撮影システムが実行する制御フローを説明する図である。
【符号の説明】
【００２３】
１００  撮影室
１１  撮影台
２  放射線画像読取装置
３  放射線照射装置
３５  操作ボタン
４  制御ＢＯＸ
５  アクセスポイント
６  ＦＰＤ
７  コンソール
９  ＣＲカセッテ
【発明を実施するための最良の形態】
【００２４】
本発明を実施の形態に基づいて説明するが、本発明は該実施の形態に限られない。【００２５】
図１は、第１の実施形態における放射線画像撮影システムの概略構成を示す図である。同図に示すように放射線画像撮影システムは、放射線画像読取装置２、放射線照射装置３、制御ＢＯＸ４、アクセスポイント５、コンソール７、等からなる。放射線画像読取装置２、放射線照射装置３、アクセスポイント５、撮影台１１は撮影室１００の内部に設けられている。なお本実施形態における制御ＢＯＸ４が「管理手段」、コンソール７が「制御端末」として機能する。【００２６】
６は放射線画像検出装置（以下、単にＦＰＤ６という）であり基板上に２次元的に配列された放射線検出素子を内蔵し放射線画像データを直接取得することができる。９はＦＰＤ６とは異なる種類の装置としてのＣＲカセッテである。ＣＲカセッテ９に放射線を照射した撮影後に放射線画像読取装置２に装填すると、ＣＲカセッテ９に内蔵された蛍光体プレートが励起光により走査され放射線画像データの読み取りが行われる。【００２７】
無線ＬＡＮ（Ｌｏｃａｌ  Ａｒｅａ  Ｎｅｔｗｏｒｋ）によりＦＰＤ６等の装置と無線通信を行うためのアクセスポイント５と、放射線画像検出装置６により生成された放射線画像データに演算処理や表示処理を行うコンソール７（制御端末）とがネットワークＮ１を通じて接続されて構成されている。ネットワークＮ１は、当該システム専用の通信回線であってもよいが、システム構成の自由度が低くなってしまう等の理由のため、イーサネット（登録商標）等の既存の回線である方が好ましい。【００２８】
コンソール７、放射線照射装置３、及び制御ＢＯＸ４とは、ネットワークＮ２を通じて接続されて構成されている。本実施形態においては、ネットワークＮ２は当該システム専用の通信回線であり、コンソール７を介して、またはコンソール７がプロトコル変換することにより間接、直接的にネットワークＮ１の装置と通信することができる。本実施形態の構成とすることにより、ＣＲカセッテを用いたネットワークＮ１を用いる既存のシステムに対して、ネットワークＮ２の通信回線を追加することにより、可搬型のＦＰＤを混在して用いるシステムとすることができる。【００２９】
なお、当該システムにおいては図示を照射しているが、患者診断情報や会計情報を一元管理するＨＩＳや放射線診療の情報を管理するＲＩＳとネットワークＮ１を介して接続されている。【００３０】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｇ準拠の通信方式）により行う例について説明するが、これに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。【００３１】
［放射線照射装置３］
放射線照射装置３は、撮影台１１に横たわっている被写体である患者１２に対して放射線を照射するようになっており、撮影台１１の下方には、ＦＰＤ６又はＣＲカセッテ９を装着する装着口１１ａが設けられている。【００３２】
放射線照射装置３は、フィラメント３２、フィラメント３２に高圧を印加する高圧電源３１、回転陽極３３、操作部３４、操作ボタン３５からなる。回転陽極３３はロータあるいはターゲットとも称されるものであり、重金属からなり、不図示の駆動モータにより所定の回転数で回転される。フィラメント３２に高圧電源３１により高電圧、例えば２０ｋｖ〜１５０ｋｖを印加することにより電子線を発生させ、電子線を加速して回転陽極３３に衝突させることによりＸ線を発生させる。【００３３】
操作部３４ではＸ線の照射範囲、照射するＸ線量等の設定を行う。なお、この設定は撮影オーダ情報に含まれる部位情報等に応じて自動的に設定されるように構成しても良い。ＣＲカセッテ９等による撮影では放射線照射装置３と撮影媒体との同期がいらない標準モードを実行する。標準モードにおいては、操作ボタン３５を放射線技師等の操作者が押し下げることにより、撮影台１１上の被検者１２に対してＸ線の照射が開始される。このとき操作ボタン３５を押し下げたことにより発生した信号により回転陽極３３の回転が始まり、所定の回転数に到達し定常回転となった後に、フィラメント３２に高電圧を印加してＸ線の照射を開始する。なお操作ボタンを２段回押しできるようにして１回目の半押しでは回転陽極３３の回転を開始し、続く２回目の全押しによりフィラメント３２に高電圧を印加してＸ線の照射を開始するようにしてもよい。【００３４】
ＦＰＤ６を使用する場合には、同期が必要なので標準モードではなく、ＦＰＤ使用モードを実行する必要がある。当該ＦＰＤ使用モードにおいては撮影時に放射線照射装置３から放射線を照射するタイミングと、当該ＦＰＤ６の放射線画像データを取得するタイミングとを制御する必要がある。すなわち、放射線の照射前に、ＦＰＤ６のリセットを完了し、撮影データ蓄積可能状態とし、照射終了後に撮影データ読取開始させる必要がある。以下、当該制御を単に「同期」という、詳細は後述する。【００３５】
なお、放射線照射装置の照射条件等はＣＲカセッテ９を用いた撮影時においては、撮影に使用するＣＲカセッテ９の感度特性等に適正化して行うことが好ましい。本実施形態においては、ＣＲカセッテ９による撮影時において、コンソール７への操作者への入力指示によりＣＲカセッテ９を識別ＩＤ等で特定しおき、撮影に使用するＣＲカセッテ９での照射条件等のデータを、ネットワークＮ２を経由して操作部３４に送信するようにしてもよい。【００３６】
またコンソール７への入力指示によりＣＲカセッテ９あるいはＦＰＤ６のいずれかを用いた撮影を行うかの選択を行うが、前者の場合には、使用しないネットワークＮ２はｏｆｆしておき、後者の場合にはネットワークＮ１をｏｆｆするような構成としてもよい。【００３７】
図２乃至図４に基づいて他の実施形態における放射線画像撮影システムについて説明する。図２乃至図４は、第２乃至第４の実施形態における放射線画像撮影システムの概略構成を示す図である。これらの実施形態においては図１に示した実施形態と同一構成は同一符号を付すことにより説明に代える。また同図においては各放射線照射装置３の構成、及びそれぞれに対応する撮影台１１の記述は省略している。【００３８】
第１の実施形態においては、一の制御ＢＯＸ４が、それぞれ一つずつの放射線照射装置３とコンソール７と接続されている例であったが、図２に示す第２の実施形態においては、一の制御ＢＯＸ４が複数の放射線照射装置３と接続されており、これら複数の放射線照射装置３を制御可能である。また制御ＢＯＸ４は、複数のコンソール７と接続されている。制御ＢＯＸ４を介すことにより、一方のコンソール７により撮影室１００ａ、１００ｂの何れの内部にある、放射線照射装置３あるいはＦＰＤ６を操作することが可能である。【００３９】
なお、ここでは図示してないが、第２の放射線画像撮影システムは、患者診断情報や会計情報を一元管理するＨＩＳや放射線診療の情報を管理するＲＩＳとネットワークＮ１を介して接続されている。【００４０】
図３に示す第３の実施形態においては、制御ＢＯＸ４が直接ネットワークＮ１に接続されており、複数のコンソール７と直接通信を行うことができる。【００４１】
図４に示す第４の実施形態においては、各撮影室１００にそれぞれ制御ＢＯＸ４を配置させており、また撮影室１００ａ、１００ｂ、１００ｃの各撮影室でコンソール７を共有している。【００４２】
［コンソール７］
図５は、コンソール７の要部構成を示すブロック図である。コンソール７は、図５に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。【００４３】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、撮影オーダ、患者リスト、各種のメッセージや画像等、各種画面を表示するものである。【００４４】
入力操作部７８は、例えば、キーボードやマウス等から構成されており、キーボードで押下操作されたキーの押下信号やマウスによる操作信号を入力信号として制御部７４に対して出力するものである。なお、入力操作部７８は、前記表示部７７の表示画面を覆う透明なシートパネルに、指又は専用のスタイラスペンで触れることにより入力される位置情報を入力信号として制御部７４に出力する、いわゆる、タッチパネルにより構成されていてもよい。【００４５】
特に、本実施形態に係る放射線画像撮影システムにおいては、入力操作部７８は、放射線撮影を行う患者情報や撮影情報等の撮影オーダ情報の入力及び、当該撮影オーダ情報と撮影した放射線画像データとの対応付けを行う際にＦＰＤ６のカセッテＩＤ等を表示し、更にその際に対応付け確認画面指示を入力するようにしてもよい。ここでカセッテＩＤ（識別ＩＤともいう）とは、ＦＰＤ６を識別するために各ＦＰＤ６に付されるユニークな識別情報である。【００４６】
また、可搬型のＦＰＤ６では、どの撮影室に当該識別ＩＤのＦＰＤ６が存在するかが判断できない場合がある。このようなことを考慮して「位置検出」を行い、その結果を表示部７７に表示するようにしてもよい。【００４７】
「位置検出」の方法としては、コンソール７から当該ＦＰＤ６への通信要求を全てのＦＰＤ６に向けて発信する。具体的には「一斉呼出（ポーリングともいう）」として、全ての撮影室１００の全てのアクセスポイント５を経由して無線通信による通信要求を行い、その返信の通信データに付加されている経由したアクセスポイント５のＩＰアドレス等の経路情報により、呼出を行ったＦＰＤ６の位置検出を行う。【００４８】
［ＦＰＤ６］
図６乃至図８に基づいて放射線画像検出装置としてのＦＰＤ６について説明する。図６はＦＰＤ６の要部構成を示すブロック図であり、図７はＦＰＤ６の斜視図である。図８は、撮像パネル６２及びその周辺の回路構成を示す模式図である。【００４９】
図６に示すように、ＦＰＤ６の制御系は、制御部６４、ＲＡＭ６５、ＲＯＭ６６、撮像パネル６２、記憶部６０、電源部６７、無線通信部６９等を備え、各部はバス６１により接続されている。【００５０】
制御部６４は制御手段として機能し、例えば、ＣＰＵ等から構成され、ＲＯＭ６６に記憶されている制御プログラムを読み出してＲＡＭ６５内に形成されたワークエリアに展開し、当該制御プログラムに従ってＦＰＤ６の各部を制御する。ＲＯＭ６６は、不揮発性の半導体メモリ等により構成され、制御部６４で実行される制御プログラム、各種プログラム及び、ＦＰＤ６のカセッテＩＤ等を記憶する。ＲＡＭ６５は、制御部６４により実行制御される各種処理において、ＲＯＭ６６から読み出された制御部６４で実行可能な各種プログラム、入力若しくは出力データ、及びパラメータ等を一時的に記憶するワークエリアを形成する。【００５１】
記憶部６０は、例えばフラッシュメモリ等の不揮発性メモリやＲＡＭから構成され、撮像パネル６２に蓄積された電気信号が読み取られることにより取得された、複数回分の撮影に相当する放射線画像データを記憶可能となっている。【００５２】
無線通信部６９は、ＩＥＥＥ８０２．１１規格に準拠した無線ＬＡＮにより、アクセスポイント５を介して、コンソール７との間で各種情報の無線通信を行うものである。【００５３】
バッテリとしての電源部６７は、ＦＰＤ６を構成する複数の駆動部（制御部６４、撮像パネル６２、記憶部６０など）に電力を供給する。この電源部６７は、例えば予備電池と充電自在な充電池とで構成されており、コネクタ６０５を図示しないクレードルに接続することにより、充電池を充電することが可能である。【００５４】
図７に示すように、ＦＰＤ６は、内部を保護する筐体６０１を備えており、カセッテとして可搬可能に構成されている。筐体６０１の内部には、照射された放射線を電気信号に変換する撮像パネル６２が層を成して形成されている。この撮像パネル６２における放射線の照射面側には、入射された放射線の強度に応じて発光を行う発光層６３が設けられている。【００５５】
発光層６３は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。【００５６】
この発光層の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された撮像パネル６２が形成されている。なお、１つの光電変換部から出力される信号が、放射線画像データを構成する最小単位となる１画素に相当する信号となる。また撮像パネル６２は、蓄積された電気エネルギーを読み出す走査駆動回路６０９と、蓄積された電気エネルギーを画像信号として出力する信号選択回路６０８とを有する。【００５７】
ここで、図８に基づいて撮像パネル６２の回路構成について説明する。同図に示すとおり撮像パネル６２は光を電気信号に変換する複数の受光素子（検出素子ともいう）６２０が２次元配置されており、１つの受光素子（フォトダーオード）６２０は放射線画像の１画素に対応する。これらの画素は例えば２００〜４００ｄｐｉ（ｄｏｔｓ  ｐｅｒ  ｉｎｃｈ）の密度で、被検体の撮影領域の大きさにわたって配置されている。【００５８】
また、受光素子６２０間には走査線（横ライン）６２３と信号線（縦ライン）６２４とが配設されており、同図では両者が直交するように格子状に配設されている。ここで、走査線６２３と信号線６２４とで囲まれた１つの区画を１画素とすると、撮像パネル６２の画素数は、例えば、一方向にｍ個、もう一方向にｎ個配置してなる場合にはｍ×ｎ個の画素数より構成されている。そして、撮像パネル６２には、ｍ×ｎ個の画素数分に対応するフォトダイオード６２１−（１，１）〜６２１−（ｍ，ｎ）とスイッチング素子であるトランジスタ６２２−（１，１）〜６２２−（ｍ，ｎ）が配置され、画素間には、走査線６２３−１〜６２３−ｍ及び信号線６２４−１〜６２４−ｎが直交するように配設されることになる。【００５９】
例えば、１つ目の受光素子内では、フォトダイオード６２１−（１，１）にシリコン積層構造あるいは有機半導体で構成されたスイッチング素子であるトランジスタ６２２−（１，１）が接続する。トランジスタ６２２−（１，１）は、例えば、電界効果トランジスタが使用される。トランジスタ６２２−（１，１）のドレイン電極あるいはソース電極が受光素子６２０−（１，１）に接続されるとともに、ゲート電極は走査線６２３−１と接続される。ドレイン電極が受光素子６２０−（１，１）と接続する時はソース電極が信号線６２４−１と接続し、ソース電極が受光素子６２０−（１，１）に接続する時はドレイン電極が信号線６２４−１と接続する。また、他の画素における受光素子６２０、フォトダイオード６２１及びトランジスタ６２２も同様に走査線６２３や信号線６２４と接続する。【００６０】
また、撮像パネル６２は、図８に示す様に信号線６２４−１〜６２４−ｎにドレイン電極を接続した初期化トランジスタ６３２−１〜６３２−ｎを設けるものもあり、この初期化トランジスタ６３２−１〜６３２−ｎではソース電極を接地し、ゲート電極をリセット線６３１に接続する。【００６１】
撮像パネル６２では、これらの回路を介して放射線画像をデジタルの画像信号に変換する。すなわち、制御部６４が、走査線６２３−１〜６２３−ｍ各々に、走査駆動回路６０９を介して読出信号ＲＳを供給して画像走査を行い、走査線毎のデジタル画像信号を取り込み、放射線画像をデジタルの画像信号に変換する。このことについて、以下詳述する。【００６２】
撮像パネル６２の走査線６２３−１〜６２３−ｍとリセット線６３１は、図８に示す様に走査駆動回路６０９と接続する。走査駆動回路６０９から走査線６２３−１〜６２３−ｍのうち、任意の走査線６２３−ｐ（ｐは１〜ｍのいずれかの値）に読出信号ＲＳが供給されると、この走査線６２３−ｐに接続したトランジスタ６２２−（ｐ，１）〜６２２−（ｐ，ｎ）がオンの状態になり、フォトダイオード６２１−（ｐ，１）〜６２１−（ｐ，ｎ）に蓄積した電荷を信号線６２４−１〜６２４−ｎ上に出力する。【００６３】
信号線６２４−１〜６２４−ｎは、信号選択回路６０８の信号変換器６７１−１〜６７１−ｎに接続し、信号変換器６７１−１〜６７１−ｎでは信号線６２４−１〜６２４−ｎ上に出力された電荷量に応じた電圧信号ＳＶ−１〜ＳＶ−ｎを出力し、信号変換器６７１−１〜６７１−ｎで出力した電圧信号ＳＶ−１〜ＳＶ−ｎをレジスタ６７２に供給する。【００６４】
レジスタ６７２は、信号変換器６７１より供給された電圧信号を順次選択し、選択された電圧信号は、アナログ／デジタル（Ａ／Ｄ）変換器２７３により、１２ビット乃至１４ビットの１つのデジタル画像信号に変換され、このデジタル画像信号は制御部に供給されて、放射線画像を画素単位でデジタル画像信号に変換する。【００６５】
また、撮像パネル６２の初期化を行う場合は、最初に、走査駆動回路６０９からリセット信号ＲＴがリセット線６３１に供給されて初期化トランジスタ６３２−１〜６３２−ｎをオンの状態にした後、走査線６２３−１〜６２３−ｍに読出信号ＲＳを供給してトランジスタ６２２−（１，１）〜６２２−（ｍ，ｎ）をオンの状態にする。そして、フォトダイオード６２１−（１，１）〜６２１−（ｍ，ｎ）に蓄えられていた電荷を初期化トランジスタ６３２−１〜６３２−ｎを介して放出することにより撮像パネル６２の初期化を行う。【００６６】
［撮影時の放射線照射装置３とＦＰＤ６との同期］
ＦＰＤ６においては、放射線の照射がされていない場合にも、フォトダイオード６２１に微量の電荷が蓄積する、いわゆる暗電流が発生する。この暗電流現象によりフォトダイオード６２１に蓄積された電荷は、放射線画像データを得る上ではノイズとなり画像に悪影響を及ぼす。当該暗電流の影響を極力少なくするためには、撮影直前に蓄積した電荷を掃き出すことが有効である。患者１２に対するＸ線被爆量を極力抑えるためと、暗電流による影響の抑制とを両立させるためには、撮影時において、放射線照射装置３とＦＰＤ６とを同期を取る必要がある。ここでいう同期とは、（１）放射線照射装置３からの放射線照射直前にＦＰＤ６のフォトダイオード６２１の電荷をリセット（電荷リセット状態）させておき、（２）放射線照射開始に合わせてフォトダイオード６２１を蓄積可能状態にし、（３）放射線照射停止（照射終了）に合わせてフォトダイオード６２１に蓄積した電荷の読取開始（電荷読出状態）を行うものである。【００６７】
ここで、「電荷リセット状態」、「電荷読出状態」、「蓄積可能状態」の各状態について説明する。「電荷リセット状態」とは前述の初期化を所定の間隔で連続して実行している状態のことであり、「電荷読み出し状態」とは、各フォトダイオード６２１に蓄積した電荷を順次信号線に出力して、レジスタ６７２を介してデジタル画像信号に変換する状態のことであり、「蓄積可能状態」とは、これら初期化あるいは読み出しをせずに放射線の照射にともない変換された電荷を各フォトダイオード６２１に蓄積しつづける状態、いわゆる露光を行っている状態のことをいう。なおこれらの状態の制御は、制御ＢＯＸ４の管理の元で、制御部６４により実行される。【００６８】
［制御フロー］
図９は、放射線画像撮影システムが実行する制御フローを説明する図である。当該制御フローにより、ＦＰＤ６と放射線照射装置の同期を取ることができる。以下説明する。【００６９】
ステップＳ１１では、撮影に用いる装置が、放射線照射装置３と同期が必要なＦＰＤであるか、あるいは同期は不要なＣＲカセッテであるかを判断する。操作者によるＦＰＤを用いる指示が、「操作者による放射線画像検出装置（ＦＰＤ）を用いる旨の撮影指示」に相当する。【００７０】
ＦＰＤであれば（ステップＳ１１：ＦＰＤ）、ステップＳ１２、ステップＳ１３で使用するＦＰＤ６及び放射線照射装置３を特定する。特定は操作者によるコンソール７への入力指示により行われる。【００７１】
特定手順の例について図１０に基づいて説明する。図１０は、表示部７７に表示した設定画面の例である。当該設定画面により患者、撮影部位、撮影方向等の情報からなる撮影オーダの撮影を、ＣＲカセッテあるいはＦＰＤのうちから後者のＦＰＤ（放射線画像検出装置）を用いる旨の撮影指示と、撮影を行う放射線照射装置３の特定を行う。更に放射線画像検出装置としてＦＰＤ６を使用する場合にはその識別ＩＤの選択もあわせて行う。【００７２】
表示欄ｈ２２には、撮影オーダが表示されている。その撮影オーダに対応する装置の種類（カセッテの種類）、識別ＩＤの選択は、選択釦ｈ２５を操作することにより選択することができる。また選択釦ｈ２６を操作することにより、撮影室を選択することができる。同図に示す例では、撮影オーダＩＤが「００１」と「００２」の撮影に関しては、識別ＩＤが「０１」のＦＰＤ６を用いて、撮影室２で撮影する旨の選択がなされている。そして決定釦ｈ２３を押し下げることにより、当該選択が決定される。【００７３】
図１０に示す表示部７７の設定画面の例においては、選択釦ｈ２５の操作及び決定釦ｈ２３の押し下げにより、「操作者による放射線画像検出装置（ＦＰＤ）を用いる旨の撮影指示」及び「撮影に使用する放射線画像検出装置の（識別ＩＤの）選択指示の入力」を行う。【００７４】
また選択釦ｈ２５の操作及び決定ボタンｈ２３の押し下げにより、「撮影に使用する放射線照射装置の選択指示」を行う。図２に示す例においては、撮影室２（撮影室１００ｂ）には一の放射線照射装置３があるだけなので、撮影室を特定することによりその撮影室にある放射線照射装置３を使用する旨の特定を行っている。他の例として一の撮影室に複数の放射線照射装置３が存在するような場合には、放射線照射装置の識別番号等を表示してその特定ができるようにしてもよい。【００７５】
図１０に示す設定画面により、ＦＰＤ６の識別ＩＤの入力（ステップＳ１２）と、使用する放射線照射装置３の入力（ステップＳ１３）された場合には、コンソール７は、ＦＰＤ使用モードを実行すると判断し、ステップＳ１４で制御ＢＯＸ４に、ステップＳ１２、ステップＳ１３で取得した管理対象を通知する。【００７６】
なお、制御ＢＯＸ４を複数設けた実施形態（例えば図４）においては、対象の放射線照射装置３から対応する制御ＢＯＸ４の特定を行い、当該制御ＢＯＸ４に対してステップＳ１４の通知を行うことになる。【００７７】
更に、ステップＳ１２で使用するＦＰＤ６が特定されたことにより、当該ＦＰＤ６の「位置検出」を前述のとおり行うようにしてもよい。そして（１）検出された撮影室に対応する放射線照射装置３を使用する放射線照射装置３とする制御を行っても良く、あるいは（２）使用する放射線照射装置３とは異なる撮影室に存在した場合には警告表示を行うように制御してもよい。前者（１）によりステップＳ１３の操作を省略することができ、後者（２）により間違ったＦＰＤ６を使用することにより撮影ミスを防ぐことができる。【００７８】
ステップＳ２０では、制御ＢＯＸ４は、ステップＳ１４の通知に基づいて、対象の放射線照射装置３（撮影室２に設置）と対象の識別ＩＤのＦＰＤ６に対して管理下とする旨の通知を行う。【００７９】
通知を受けたＦＰＤ６は、「電荷リセット状態」に移行して撮影準備を開始する（ステップＳ２１０）。【００８０】
通知を受けた放射線照射装置３では、管理状態に移行する（ステップＳ２１１）。管理状態下では、ステップＳ２２で操作ボタン３５が操作者により押し下げられても、直ぐに放射線照射を開始せずに、支配している制御ＢＯＸ４に、撮影開始通知を行う（ステップＳ２３）。なおこの際には、回転陽極３３（図１参照）の回転を行う準備状態としてもよい。【００８１】
ステップＳ２４では制御ＢＯＸ４は、ステップＳ２３の通知に基づいて、ＦＰＤ６に撮影要求を行う。ＦＰＤ６では、準備ＯＫであればその旨の通知を行う（ステップＳ２５）。【００８２】
ステップＳ２６では、制御ＢＯＸ４は撮影開始指示を、放射線照射装置３及びＦＰＤ６に通知する。当該通知に基づいて、放射線照射装置３は放射線照射を開始し（ステップＳ２７０）、ＦＰＤ６では「蓄積可能状態」を所定時間経過してから、「電荷読み出し状態」に移行して、放射線画像データの取得を行う。なお放射線照射の停止に関しても、ＦＰＤ６側で所定量の露光量が得られたと判断した時点で通知を行い、当該通知を受けた制御ＢＯＸ４が放射線照射装置３に停止信号を通知するようにしてもよい。【００８３】
ステップＳ２８では、ＦＰＤ６は取得した放射線画像データを、ステップＳ１４で制御ＢＯＸ４に管理対象を通知したコンソール７へ送信する。コンソール７では、必要に応じて、受信した放射線画像データに対してゲイン補正、オフセット補正、階調処理、周波数強調処理や粒状抑制処理等の演算処理を行う。そして演算処理後の放射線画像データを表示部７７に表示させる（ステップＳ２９）。【００８４】
なお、図９に示す制御フローは、図２乃至図４に示す構成例のように主に、複数のＦＰＤ６と、複数の放射線照射装置３を備える放射線画像システムにおいて行う制御フローについて説明したが、図１に示す構成のように単一のＦＰＤ６、あるいは単位の放射線照射装置３で構成されるシステムに適用してもよい。この場合には、複数のＦＰＤ６及び複数の放射線照射装置３から撮影を行う装置を選択する制御は省略することができる。【００８５】
本実施形態によれば、既存システム（ＣＲシステム）に異なる撮影装置（可搬型ＦＰＤ）を追加した場合であっても、撮影装置に対応した制御ＢＯＸを追加する構成としていることにより、既存のシステムのなかの、ＲＩＳやＨＩＳ等の上流側との連携部分（撮影オーダ情報と撮影画像の対応付け等）には変更を加えることなく、その影響範囲を限定することができ、システムの機能拡張時のシステムデバック範囲を減縮可能で、簡便に行うことができる。【００８６】
以下に示す第５及び第６の実施形態は、前述の実施形態とは異なり、画像データ生成の為の放射線照射装置とのインターフェースを必要とせず、ＦＰＤ自身が放射線照射開始や、画像データ蓄積及び読取開始を自己制御する方式のＦＰＤを採用するシステムである。【００８７】
［電流検出手段を備えたＦＰＤ］
次に、図１１から図１４に基づいて、第５及び第６の実施形態に係る放射線画像撮影システムについて説明する。【００８８】
図１１は、第５及び第６の実施形態における、ＦＰＤ６の撮像パネル６２及びその周辺の回路構成を示す模式図である。前述の図８と共通する構成に関しては同符号を付すことにより説明に代える。図１２は、図１１に示す撮像パネル６２の断面図である。【００８９】
図１１、図１２に示す実施形態におけるＦＰＤ６においては、電流検出手段６３４を備えており、放射線照射装置３による放射線の照射開始及びその照射停止をその電流検出手段６３４により検出する。【００９０】
図１１、図１２に示す撮像パネル６２は、基板４の受光側の面４ａ上に、ＡｌやＣｒ等からなるＴＦＴ６２２（符号８１、８２、８３、８４ａ、８４ｂ、８ｄ、８ｇから構成される）のゲート電極８ｇが走査線６２３と一体的に積層されて形成されており、ゲート電極８ｇ上および面４ａ上に積層された窒化シリコン（ＳｉＮｘ）等からなるゲート絶縁層８１上のゲート電極８ｇの上方部分に、水素化アモルファスシリコン（ａ−Ｓｉ）等からなる半導体層８２を介して、受光素子６２０（符号７２から７９で構成される）の第１電極７４と接続されたソース電極８ｓと、信号線６２４と一体的に形成されるドレイン電極８ｄとが積層されて形成されている。【００９１】
ソース電極８ｓとドレイン電極８ｄとは、窒化シリコン（ＳｉＮｘ）等からなる第１パッシベーション層８３によって分割されており、さらに第１パッシベーション層８３は両電極８ｓ、８ｄを上側から被覆している。また、半導体層８２とソース電極８ｓやドレイン電極８ｄとの間には、水素化アモルファスシリコンにVI族元素をドープしてｎ型に形成されたオーミックコンタクト層８４ａ、８４ｂがそれぞれ積層されている。以上のようにしてＴＦＴ６２２が形成されている。【００９２】
また、受光素子６２０の部分では、基板４の面４ａ上に前記ゲート絶縁層８１と一体的に形成される絶縁層７１の上にＡｌやＣｒ等が積層されて補助電極７２が形成されており、補助電極７２上に前記第１パッシベーション層８３と一体的に形成される絶縁層７３を挟んでＡｌやＣｒ、Ｍｏ等からなる第１電極７４が積層されている。第１電極７４は、第１パッシベーション層８３に形成されたホールＨを介してＴＦＴ６２２のソース電極８ｓに接続されている。【００９３】
第１電極７４の上には、水素化アモルファスシリコンにVI族元素をドープしてｎ型に形成されたｎ層７５、水素化アモルファスシリコンで形成された変換層であるｉ層７６、水素化アモルファスシリコンにIII族元素をドープしてｐ型に形成されたｐ層７７が下方から順に積層されて形成されている。【００９４】
放射線の照射を受けた発光層６３で変換された電磁波が図中上方から照射されると、ｉ層７６で電子正孔対が発生する。受光素子６２０は、このようにして、発光層６３からの電磁波を電荷に変換するようになっている。なお、ｐ層７７、ｉ層７６、ｎ層７５の積層の順番は上下逆であってもよい。【００９５】
ｐ層７７の上には、ＩＴＯ等の透明電極とされた第２電極７８が積層されて形成されており、照射された電磁波がｉ層７６等に到達するように構成されている。以上のようにして受光素子６２０が形成されている。【００９６】
また、受光素子６２０の第２電極７８の上面には、第２電極７８を介して受光素子６２０に逆バイアス電圧を印加するためのバイアス線６２９が接続されている。なお、受光素子６２０の第２電極７８やバイアス線６２９、ＴＦＴ６２２側に延出された第１電極７４、ＴＦＴ６２２の第１パッシベーション層８３等、すなわち受光素子６２０とＴＦＴ６２２の上面部分は、その上方側から窒化シリコン（ＳｉＮｘ）等からなる第２パッシベーション層７９で被覆されている。【００９７】
本実施形態では、図１１に示すように、それぞれ列状に配置された複数の受光素子６２０に１本のバイアス線６２９が接続されており、各バイアス線６２９はそれぞれ信号線６２４に直交するように配設されている。また、各バイアス線６２９は、基板４の検出部Ｐの外側の位置で１本の結線６３０に結束されている。バイアス線６２９や結線６３０は電気抵抗が小さい金属線で形成されている。【００９８】
撮像パネル６２の各受光素子６２０は、その電極の一端がそれぞれバイアス線６２９に接続されており、各バイアス線６２９は１本の結線６３０に結束されている。結線６３０は電流検出手段６３４を介して電源６７に接続されている。電源６７は、各バイアス線６２９を介して各受光素子６２０に逆バイアス電圧を印加するようになっている。【００９９】
増幅回路６０３の出力側端子には、相関二重サンプリング（Ｃｏｒｒｅｌａｔｅｄ  Ｄｏｕｂｌｅ  Ｓａｍｐｌｉｎｇ：以下ＣＤＳという）回路６０５が接続されている。ここで、相関二重サンプリング回路６０５は、電荷−電圧変換回路のコンデンサのリセット後の第１の電圧値と、撮影後（照射後）に読み出した第２の電圧値の差分をとることによりコンデンサのリセット時の雑音を除去（低減）する回路である。次に制御部６４及び電流検出手段６３４により放射線の照射開始及び照射停止を検知する手順について説明する。【０１００】
図１１に示した実施形態においては受光素子６２０の第２電極７８に、バイアス線６２９を介して逆バイアス電圧である負の電圧が印加されると、受光素子６２０内に電位勾配が生じる。この状態で、放射線照射装置３等の放射線源から放射線が照射され、放射線の照射を受けた発光層６３により放射線から変換された電磁波が受光素子６２０のｉ層（変換層）７６に入射すると、ｉ層７６内で電子正孔対が発生する。【０１０１】
そして、発生した電子正孔対のうち、電子は電位勾配に従って高電位である第１電極７４側に移動するが、ＴＦＴ６２２のゲートが閉じているため、電子は第１電極７４やｉ層７６内の第１電極７４近傍に蓄積する。受光素子６２０のｉ層７６に電磁波の光子の数に比例して電子正孔対が発生するため、受光素子６２０内には、入射した電磁波の量に応じた量の電子が蓄積される。【０１０２】
一方、発生した電子正孔対のうち、正孔は電位勾配に従って低電位である第２電極７８側に移動し、第２電極７８を通ってバイアス線６２９に流れ出る。図１１に示すように、この受光素子６２０から流れ出てバイアス線６２９を流れる正孔が電流として電流検出手段６３４で検出される。【０１０３】
このバイアス線６２９を流れる正孔も、受光素子６２０のｉ層７６に入射した電磁波の光子の数に比例して発生した電子正孔対の分だけ発生するため、入射した電磁波の量に応じて受光素子６２０内に蓄積された電子の量と同量の正孔がバイアス線６２９内を流れるようになる。つまり各バイアス線６２９を流れる電流は結線６３０に集められ、結線６３０中を電流検出手段６３４に向かって流れる。【０１０４】
以上の受光素子６２０における電荷の発生原理に基づいた場合、放射線または電磁波が受光素子６２０のｉ層７６に入射しない放射線照射の前段階では、理想的にはバイアス線６２９や結線６３０内には電流は流れないが、実際には受光素子６２０で暗電流が発生し、電流検出手段６３４で微量の電流が検出される。【０１０５】
図１３は、電流検出手段６３４で電流から変換され出力される電圧値の時間変化の一例を示す図である。前述したように、第５及び第６の実施形態では、電流検出手段６３４は結線６３０を流れる電流を電圧値に変換して出力するため、放射線または電磁波が受光素子６２０のｉ層７６に入射されない放射線照射の前段階においても、図１３における時刻ｔａに示されるように、電流検出手段６３４から制御部６４に微量ではあるが０ではない電圧値Ｖａが入力される。【０１０６】
そして、放射線源からの放射線の照射が開始されると、各受光素子６２０内で電子正孔対が発生し、バイアス線６２９や結線６３０を通じて正孔が電流検出手段６３４に運ばれる。そのため、図１３における時刻ｔｂに示されるように、電流検出手段６３４から出力される電圧値Ｖが増加する。そこで、本実施形態では、制御部６４は、電流検出手段６３４から出力される電圧値Ｖが大きく増加し始めたことを検出することで、放射線の照射開始を検出するようになっている。【０１０７】
電圧値Ｖの増加による放射線の照射開始については、電圧値Ｖが所定の閾値Ｖｔｈを越えた時刻ｔｃに放射線照射が開始されたとして検出するように構成してもよく、また、電圧値Ｖの時間微分値が所定の閾値を越えた時刻ｔｄに放射線照射が開始されたとして検出するように構成することも可能である。【０１０８】
また、放射線源からの放射線の照射が終了すると、今度は、各受光素子６２０内での電子正孔対の発生が停止し、バイアス線６２９に正孔が供給されなくなる。そのため、図１３における時刻ｔｅに示されるように、電流検出手段６３４から出力される電圧値Ｖが減少し始める。そこで、本実施形態では、制御部６４は、電流検出手段６３４から出力される電圧値Ｖが減少したことを検出することで、放射線の照射終了を検出するようになっている。【０１０９】
電圧値Ｖの減少による放射線の照射終了については、電圧値Ｖが前述した所定の閾値Ｖｔｈを下回った時刻ｔｆに放射線照射が終了されたとして検出するように構成してもよく、また、電圧値Ｖの時間微分値が所定の負の値の閾値をより負側に越えた時刻ｔｇに放射線照射が終了されたとして検出するように構成することも可能である。【０１１０】
次に図１４に基づいて第５の実施形態における、放射線画像撮影システムが実行する制御フローを説明する。同図においては、図９に示した制御フローと共通する制御に関しては、同符号を付すことにより説明に代える。第５の実施形態及び後述の第６の実施形態においては、ＦＰＤ６は自ら放射線の照射開始や照射終了を検出するように構成されている。このことから、制御ＢＯＸ４は、撮影時に放射線照射装置３とＦＰＤ６との同期を取る必要がない。【０１１１】
図１４のステップＳ２０１では、制御ＢＯＸ４はステップＳ１４の通知に基づいて、対象のＦＰＤ６にリセット指示としてのリセット信号を送信する。当該リセット信号を受信したＦＰＤでは、「電荷リセット状態」に移行して撮影準備を開始する（ステップＳ２１０）。本実施形態においてはリセット信号の送信を行わなくても、撮影は可能であるが、暗電流によるノイズの影響を除去するためには、リセット信号の送信によりそれまでに蓄積された電荷のリセットを行うことが好ましい。【０１１２】
またステップＳ２０２において制御ＢＯＸ４は、対象の放射線対象の放射線照射装置３を管理下とする。通知を受けた放射線照射装置３では、管理状態に移行する（ステップＳ２１１）。【０１１３】
放射線照射装置３のステップＳ２２、Ｓ２３、Ｓ２６は図９に示した制御フローと同一なので説明は省略する。ステップＳ２６の撮影開始指示の通知に基づいて、放射線照射装置３は所定の時間、所定の放射線強度で放射線照射を行う（ステップＳ２７０）。なお所定時間、所定放射線強度は、前述のように操作部３４で行ってもよく、撮影オーダ情報に含まれる部位情報等に応じて制御ＢＯＸ４で換算テーブルを用いて使用するＦＰＤ６の感度に応じて自動的に設定されるように構成しても良い。【０１１４】
ステップＳ２７２ではＦＰＤ６は、制御部６４が電流検出手段６３４により検出されたバイアス線６２９を流れる電流の増加および減少に基づいて放射線の照射の開始および終了を検出する。そして制御部６４はＦＰＤ６を、放射線の照射開始の検知により「蓄積可能状態」にし、照射終了の検知により「電荷読み出し状態」にする。ステップＳ２８では、以降の制御は図９と同一なので説明は省略する。【０１１５】
次に図１５に基づいて第６の実施形態における、放射線画像撮影システムが実行する制御フローを説明する。第６の実施形態においてもＦＰＤ６は自ら放射線の照射開始や照射終了を検出するように構成されている。第５の実施形態とＦＰＤ６へのリセット信号の送信を制御端末として機能するコンソール７により行っている点で相違する。【０１１６】
図１５に示すように、ステップＳ１５においてコンソール７は、対象のＦＰＤ６にリセット信号を送信する。ＦＰＤ６では、当該リセット信号を受信したＦＰＤでは、「電荷リセット状態」に移行して撮影準備を開始する（ステップＳ２１０）。以降の制御は図１４に示した制御フローと同一であり説明は省略する。【０１１７】
第５及び第６の実施形態によれば、既存システム（ＣＲシステム）に異なる撮影装置（可搬型ＦＰＤ）を追加した場合であっても、撮影装置に対応した制御ＢＯＸを追加する構成としていることにより、既存のシステムのなかの、ＲＩＳやＨＩＳ等の上流側との連携部分（撮影オーダ情報と撮影画像の対応付け等）には変更を加えることなく、その影響範囲を限定することができ、システムの機能拡張時のシステムデバック範囲を減縮可能で、簡便に行うことができる。更に、自ら放射線の照射開始や照射終了を検出するように構成されているＦＰＤを用いることが可能となり、ＦＰＤを用いた撮影と、ＣＲを用いた撮影とで、放射線技師が撮影実行時の放射線照射タイミングを同一にでき、従来からの患者撮影技法をそのまま維持できるので、好ましい。
【図１１】
2010032494.tif 000003
【図１３】
2010032494.tif 000004
【図１４】
2010032494.tif 000005
【図１５】
2010032494.tif 000006
【図１】
2010032494.tif 000007
【図２】
2010032494.tif 000008
【図３】
2010032494.tif 000009
【図４】
2010032494.tif 000010
【図５】
2010032494.tif 000011
【図６】
2010032494.tif 000012
【図７】
2010032494.tif 000013
【図８】
2010032494.tif 000014
【図９】
2010032494.tif 000015
【図１０】
2010032494.tif 000016
【図１２】
2010032494.tif 000017
【国際調査報告】
2010032494.tif 000018
2010032494.tif 000019
2010032494.tif 000020
2010032494.tif 000021
2010032494.tif 000022
2010032494.tif 000023